(57)【要約】 【課題】  低コストで、安全であり、環境への負荷が低い除菌容器を提供する。【解決手段】  実施形態によれば、除菌容器は、臭気が発生した、または菌が付着した対象物を収容可能な容器と、容器を解放または密閉する開閉部と、容器、開閉部何れかの内面に配置され、所定量の次亜塩素酸水が給水され貯水する貯水部、貯水部の次亜塩素酸水をミスト化、または気化された状態で噴霧する噴霧部、及び密閉された状態で噴霧部より次亜塩素酸水を噴霧する噴霧制御部とを有する次亜塩素酸水噴霧ユニットとを備える。【選択図】図１
2019107289.tif 000002
【特許請求の範囲】
【請求項１】
臭気が発生した、または菌が付着した対象物を収容可能な容器と、
容器を解放または密閉する開閉部と、
前記容器、開閉部何れかの内面に配置され、所定量の次亜塩素酸水が給水され貯水する貯水部、貯水部の次亜塩素酸水をミスト化、または気化された状態で噴霧する噴霧部、及び密閉された状態で噴霧部より次亜塩素酸水を噴霧する噴霧制御部とを有する次亜塩素酸水噴霧ユニットとを備えた除菌容器。
【請求項２】
密閉を検知する情報に基づいて、前記噴霧部を操作する機構をさらに含む請求項１に記載の除菌容器。
【請求項３】
密閉した状態で、外部からの指示に基づいて、前記噴霧部を操作する機構をさらに含む請求項１または２に記載の除菌容器。
【請求項４】
臭気が発生した、または菌が付着した対象物を収容可能な容器と、
容器を解放または密閉する開閉部と、
前記容器、開閉部何れかの内面に配置され、所定量の次亜塩素酸水が給水され貯水する貯水部、貯水部の次亜塩素酸水をミスト化、または気化された状態で噴霧する噴霧部、及び密閉された状態で噴霧部より次亜塩素酸水を噴霧する噴霧制御部とを有する次亜塩素酸水噴霧ユニットと、
前記貯水部に貯水された次亜塩素酸水の貯水状況を外部機器に通知する通知部とを備えた除菌装置。
【請求項５】
臭気が発生した、または菌が付着した対象物を収容可能な容器と、
容器を解放または密閉する開閉部と、
前記容器、開閉部何れかの内面に配置され、所定量の次亜塩素酸水が給水され貯水する貯水部、貯水部の次亜塩素酸水をミスト化、または気化された状態で噴霧する噴霧部、密閉された状態で噴霧部より次亜塩素酸水を噴霧する噴霧制御部、及び前記容器内を移動する可動機構を有する次亜塩素酸水噴霧ユニットとを備えた除菌装置。
【請求項６】
密閉を検知する情報に基づいて、前記噴霧部を操作する機構をさらに含む請求項４または５に記載の除菌容器。
【請求項７】
密閉した状態で、外部からの指示に基づいて、前記噴霧部を操作する機構をさらに含む請求項４から６のいずれか１項に記載の除菌容器。
【請求項８】
前記容器は、ごみ箱収容室であって、扉の開閉を検知する開閉センサーをさらに有する請求項４から７のいずれか１項に記載の除菌装置。
【請求項９】
臭気が発生した、または菌が付着した対象物が投入された、開口を有する容器を密閉するための除菌装置の蓋であって、開口側の面に取り付けられ、所定量の次亜塩素酸水が給水され貯水する貯水部と、貯水部の次亜塩素酸水をミスト化、または気化された状態で噴霧する噴霧部と、密閉された状態で噴霧部より次亜塩素酸水が噴霧される噴霧制御部とを有する次亜塩素酸水噴霧ユニットを備えた除菌装置の蓋。
【請求項１０】
前記容器はバスタブであり、前記バスタブに使用される風呂蓋である請求項９に記載の除菌装置の蓋。
【請求項１１】
臭気が発生した、または菌が付着した対象物が収容される収納空間内に着脱可能に配置される次亜塩素酸水噴霧ユニットであって、
所定量の次亜塩素酸水が給水され貯水する貯水部と、貯水部の次亜塩素酸水をミスト化、または気化された状態で噴霧する噴霧部と、前記収納空間が密閉された状態で噴霧部より次亜塩素酸水を噴霧する噴霧制御部とを有する次亜塩素酸水噴霧ユニット。
【請求項１２】
報知部をさらに含み、噴霧指示後、所定時間経過したあとに後に噴霧開始し、噴霧終了後に前記報知部より終了を報知する報知機構を有する請求項１１の次亜塩素酸水噴霧ユニット。
【請求項１３】
所定空間に入れられた手または足を乾燥させるドライヤーであって、送風する送風部と、送風部に隣接して設けられ乾燥が完了した後、または送風開始後所定時間経過後に、手または足に次亜塩素酸水を噴霧する噴霧部とを有するドライヤー。
【発明の詳細な説明】
【技術分野】
【０００１】
本発明の実施形態は、除菌容器及び除菌装置に関する。
【背景技術】
【０００２】
近年、日常生活の様々なものに対して、除菌、消臭が行われている。
【０００３】
電解により生成される次亜塩素酸水は、低コストで、高い安全性を有し、環境への負荷が低い上、強い殺菌力と強い消臭力をもち、水道水のような感覚で使用できる。
【０００４】
このため、次亜塩素酸水を用いて簡便に除菌、消臭が可能な手段が求められている。
【先行技術文献】
【特許文献】
【０００５】
【特許文献１】特開２０１１−２１８００１号公報
【特許文献２】特開２００６−８１８０２号公報
【発明の概要】
【発明が解決しようとする課題】
【０００６】
本発明の実施形態は、低コストで、安全であり、環境への負荷が低い除菌容器及び除菌装置を提供することを目的とする。
【課題を解決するための手段】
【０００７】
実施形態によれば、臭気が発生した、または菌が付着した対象物を収容可能な容器と、
容器を解放または密閉する開閉部と、
前記容器、開閉部何れかの内面に配置され、所定量の次亜塩素酸水が給水され貯水する貯水部、貯水部の次亜塩素酸水をミスト化、または気化された状態で噴霧する噴霧部、及び密閉された状態で噴霧部より次亜塩素酸水を噴霧する噴霧制御部とを有する次亜塩素酸水噴霧ユニットとを備えた除菌容器が提供される。
【図面の簡単な説明】
【０００８】
【図１】第１の実施形態にかかる生ごみ除菌容器の構成を表す概略図である。
【図２】第１の実施形態に使用可能な次亜塩素酸水を自動的に噴霧する機構を表すブロック図である。
【図３】第１の実施形態に使用可能な噴霧部を外部から操作する機構を表すブロック図である。
【図４】第２の実施形態にかかる太陽光発電型生ごみ除菌容器の構成を表す概略図である。
【図５】第３の実施形態にかかる除菌ごみ箱収容室の構成を表す概略図である。
【図６】第４の実施形態にかかる除菌機能付きゴミ収集車を表す概略図である。
【図７】第５の実施形態にかかる風呂蓋型除菌装置を表す概略図である。
【図８】第６の実施形態にかかる除菌押入れを表す概略図である。
【図９】第７の実施形態にかかる除菌ロッカーの構成を表す概略図である。
【図１０】第８の実施形態にかかる手の除菌装置の構成を表す概略図である。
【図１１】第９の実施形態にかかる足の除菌装置の構成を表す概略図である。
【図１２】第１０の実施形態にかかる除菌トイレの構成を表す概略図である。
【図１３】第１１の実施形態にかかる除菌ほりごたつの構成を表す概略図である。
【図１４】第１２の実施形態にかかる室内除菌装置の構成を表す概略図である。
【図１５】第１３の実施形態にかかる除菌容器の構成を表す概略図である。
【図１６】第１４の実施形態にかかる除菌ブラシの構成を表す概略図である。
【図１７】第１５の実施形態にかかる除菌掃除機の構成を表す概略図である。
【発明を実施するための形態】
【０００９】
実施形態にかかる除菌容器は、密閉可能な容器と、容器を解放または密閉する開閉部と、密閉可能な容器内に次亜塩素酸水を噴霧する次亜塩素酸水噴霧ユニットとを備えている。
【００１０】
次亜塩素酸水噴霧ユニットは、所定量の次亜塩素酸水が給水され貯水する貯水部と、貯水部に接続され次亜塩素酸水を噴霧する噴霧部と、噴霧部を制御する噴霧制御部とを備えている。
【００１１】
噴霧部は密閉可能な容器または開閉部に接続され、貯水部の次亜塩素酸水をミスト化、または気化された状態で噴霧する。開閉部として、例えば蓋、扉などがあげられる。
【００１２】
以下、実施の形態について、図面を参照して説明する。なお、図面は模式的なものであり、例えば厚さと平面寸法との関係、各層の厚さの比率等は現実のものとは異なる場合がある。また、実施形態において、実質的に同一の構成要素には同一の符号を付し説明を省略する。
【００１３】
図１は、第１の実施形態にかかる生ごみ除菌容器の構成を表す概略図である。
【００１４】
図示するように、生ごみ除菌容器１０は、上部に生ごみ３を出し入れ可能な開口５を持つ容器１と、開口５の端部周辺の一部に蝶番６を用いて開閉可能に取り付けられた蓋２とを有する。蓋２には、容器１内に次亜塩素酸水４を噴霧するための噴霧部８が設けられている。噴霧部８には、次亜塩素酸水４の噴霧を制御する噴霧制御部１７１が接続されている。図中、蓋２は蓋が閉じて密閉された状態を、蓋２’は、蓋が開いた状態をそれぞれ示す。噴霧部８には所定量の次亜塩素酸水が給水され貯水するタンク７を接続することができる。噴霧制御部１７１と噴霧部８とタンク７は、次亜塩素酸水を噴霧するための次亜塩素酸水噴霧ユニット２１１を構成している。また、次亜塩素酸水噴霧ユニット２１１は、生ごみ除菌容器１０に着脱可能に設けることができる。生ごみ除菌容器１０には、外部電源に接続するためのプラグ１１を取り付けることができる。
【００１５】
タンク７に、生ごみ除菌容器１０を密閉した状態で次亜塩素酸水を供給する図示しない供給口を設け、外部から電解により生成した次亜塩素酸水を供給することができる。あるいは、噴霧部８に図示しない供給口を設け、外部から、次亜塩素酸水を噴霧したものを供給することもできる。
【００１６】
また、次亜塩素酸水噴霧ユニット２１１のタンク７に、外部に設けられた貯水部１６１をさらに接続して、生ごみ除菌容器１０を密閉した状態で貯水部１６１からタンク７に所定量の次亜塩素酸水を供給することができる。
【００１７】
さらに、タンク７及び貯水部１６１のうち少なくとも一方に、外部機器と通信可能な図示しない通知部を接続し、貯水部１６１内の次亜塩素酸水の貯水状況を図示しない外部機器に通知することができる。
【００１８】
ここで、密閉とは、容器の開口を蓋や扉などで塞いだ状態をいう。
【００１９】
次亜塩素酸水は、塩化カリウム水溶液を有隔膜電解槽内で電気分解して、陽極側から得られる水溶液、もしくは塩酸を無隔膜電解槽内で電気分解し、飲用適の水で希釈して得られる水溶液である。実施形態では、ｐＨ６．５以下、有効塩素濃度１０〜６０ｍｇ／ｋｇの次亜塩素酸水を使用することができる。
【００２０】
噴霧部８は、気化された次亜塩素酸水あるいはそれより大きいサイズに噴霧された（ミスト化された）次亜塩素酸水を容器１内に供給することができる。
【００２１】
ここで、気化された次亜塩素酸水とは、生ごみなどの対象物に触れても濡れることが無いほど小さく、もしくは分子サイズで空間に存在するものをいう。また、それより大きいサイズに噴霧された次亜塩素酸水とは、生ごみなどの対象物に触れると濡れるものをいう。
【００２２】
実施形態に使用可能な次亜塩素酸水を気化させるかあるいは噴霧する方法としては、例えば、フィルタに次亜塩素酸水を含浸させ、このフィルタを通して空気を流通することにとより、次亜塩素酸水と空気とを接触させて、次亜塩素酸水を気体に変換して放出する方法、不織布を含む布に次亜塩素酸水を含浸し、送風せずに、自然気化させる方法、あるいは、ミスト化された次亜塩素酸水を、対象物に到達する前に気温による蒸発により気化させる方法、次亜塩素酸水をスプレーにより噴霧する方法、次亜塩素酸水を超音波振動により噴霧する等があげられる。なお、フィルタを使用すると、電解水に塩化物が含まれていても、気化されにくいという利点がある。
【００２３】
また、蓋２と容器１に、蓋２の開閉を検知する一対の開閉センサー９を設けることができる。さらに、生ごみ除菌容器１０には、開閉センサー９からの情報に応じて噴霧制御部１７１によって噴霧部８を操作し、次亜塩素酸水を自動的に噴霧する機構を設けることができる。
【００２４】
図２は、第１の実施形態に使用可能な次亜塩素酸水を自動的に噴霧する機構を表すブロック図を示す。
【００２５】
図示するように、実施形態に使用可能な次亜塩素酸水を自動的に噴霧する機構２００は、開閉センサー９と、次亜塩素酸水噴霧ユニット２１１の噴霧部８と、噴霧部８に接続され噴霧部８を制御する、次亜塩素酸水噴霧ユニット２１１の噴霧制御部１７１と、開閉センサー９及び噴霧制御部１７１に接続され、開閉センサー９からの検知情報に応じて噴霧制御部１７１を制御する主制御部２０１とを有する。
【００２６】
例えば、使用者が２’に示すように蓋を開け、容器１に生ごみ３を入れて２に示すように蓋を閉めると、開閉センサー９が閉じていることを検知する。このとき、主制御部２０１は、開閉センサー９からの検知情報を受けて、噴霧制御部１７１に一定量の次亜塩素酸水４の噴霧を指示する。噴霧部８は、噴霧制御部１７１からの指示情報を受けて一定量の次亜塩素酸水４を噴霧する。また、開閉センサー９が閉じている時間を例えばクロックで計数し、一定時間を検知したとき、主制御部２０１は、噴霧制御部１７１を制御して噴霧部８に一定量の次亜塩素酸水４を噴霧させることができる。さらに、使用者が容器１にごみ３を入れるために蓋２を開けることにより、開閉センサー９が開いていることを検知したとき、主制御部２０１は、噴霧制御部１７１を制御して噴霧部８の次亜塩素酸水４の噴霧を待機するか、あるいは噴霧中の場合は噴霧の停止を行うことができる。
【００２７】
次亜塩素酸水噴霧ユニット２１１に図示しない報知部をさらに接続し、噴霧制御部１７１が噴霧指示後、所定時間経過した後に噴霧開始し、噴霧終了後に報知部より終了の報知を行う報知機構を、生ごみ除菌容器１０にさらに設けることができる。
【００２８】
報知部は、例えば音、ライトの点灯、あるいは通信機器への送信等により報知を行なうことができる。
【００２９】
また、生ごみ除菌容器１０に操作ボタンなどを設けて噴霧制御部１７１を制御し、噴霧部８を操作することができる。さらに、例えばリモートコントローラなどによる外部信号を受信させて噴霧制御部１７３を制御し、噴霧部８を遠隔操作することができる。
【００３０】
図３に、第１の実施形態に使用可能な噴霧部を外部から操作する機構を表すブロック図を示す。
【００３１】
図示するように、実施形態に使用可能な噴霧部を外部から操作する機構２１０は、例えばリモートコントローラなどの外部機器２０４からの外部信号を受ける受信部２０３と、噴霧部８と、噴霧部８に接続され噴霧部８を制御する噴霧制御部１７１と、受信部２０３及び噴霧制御部１７１に接続され、受信部２０３からの情報に応じて噴霧制御部１７１を制御する主制御部２０２とを有する。
【００３２】
使用者が外部機器２０４から次亜塩素酸水４の噴霧を指示する外部信号を送ると、外部信号を受けた受信部２０３からの情報に基づいて、主制御部２０１は、噴霧制御部１７１に一定量の次亜塩素酸水４の噴霧を指示する。噴霧部８は、噴霧制御部１７１からの指示情報を受けて一定量の次亜塩素酸水４を噴霧する。
【００３３】
また、噴霧部を外部から操作する機構２１０は、主制御部２０２にさらに開閉センサー９を接続することにより、図２に示す次亜塩素酸水を自動的に噴霧する機構と組み合わせて使用することが可能である。
【００３４】
実施形態によれば、このようにして次亜塩素酸水の噴霧によるごみの除菌及び消臭が可能である。
【００３５】
図４は、第２の実施形態にかかる太陽光発電型生ごみ除菌容器の構成を表す概略図である。
【００３６】
図示するように、太陽光発電型生ごみ除菌容器２０は、電源として、プラグ１１の代わりに、蓋２の上に設けられたソーラーパネル１２を含むソーラー設備が取り付けられていること以外は、図１と同様の構成を有する。ソーラー設備は、例えばソーラーパネル１２で受光した電力を蓄電するバッテリー、及びバッテリーの充放電をコントロールするコントローラ等を含むことができる。
【００３７】
第２の実施形態にかかる太陽光発電型生ごみ除菌容器の動作及び使用可能な操作機構は、第１の実施形態にかかる生ごみ除菌容器と同様である。
【００３８】
図５は、第３の実施形態にかかる除菌ごみ箱収容室の構成を表す概略図を示す。
【００３９】
図示するように、除菌ごみ箱収容室３０は、出入口３６を有する収納室３１と、出入口３６に開閉可能に取り付けられた扉３２とを備えている。収納室３１の天井３５には、収納室３１内に次亜塩素酸水３４を噴霧するための噴霧部３８が設けられている。噴霧部３８には、次亜塩素酸水３４の噴霧を制御する噴霧制御部１７３が接続されている。噴霧部３８には所定量の次亜塩素酸水が給水され貯水するタンク３７を接続することができる。噴霧部３８とタンク３７は、第１の実施形態に設けられた噴霧部８とタンク７と同様の構成を有することができる。
【００４０】
噴霧制御部１７３と噴霧部３８とタンク３７は、次亜塩素酸水を噴霧するための次亜塩素酸水噴霧ユニット２１３を構成している。また、次亜塩素酸水噴霧ユニット２１３は、除菌ごみ箱収容室３０に着脱可能に設けることができる。また、次亜塩素酸水噴霧ユニット２１３のタンク３７に、外部に設けられた貯水部１６３をさらに接続して、除菌ごみ箱収容室３０を密閉した状態で貯水部１６３からタンク７に所定量の次亜塩素酸水を供給することができる。
【００４１】
さらに、タンク７及び貯水部１６３の少なくとも一方に、外部機器と通信可能な図示しない通知部を接続し、貯水部１６３内の次亜塩素酸水の貯水状況を外部機器に通知することができる。
【００４２】
また、天井３５と扉３２に、扉３２の開閉を検知する一対のセンサー３９を設けることができる。一対のセンサー３９と噴霧制御部１７３と噴霧部３８を、図２の開閉センサー９と噴霧制御部１７１と噴霧部８と同様に適用して、次亜塩素酸水を自動的に噴霧する機構を設けることができる。
【００４３】
例えば、使用者が扉３２を開け、収納室３１にごみ３３を入れて扉３２を閉めることにより、開閉センサー３９が閉じていることを検知する。主制御部２０１は、開閉センサー３９からの検知情報を受けて、噴霧制御部１７３に一定量の次亜塩素酸水３４の噴霧を指示する。噴霧部３８は、噴霧制御部１７３からの指示情報を受けて一定量の次亜塩素酸水３４を噴霧する。また、開閉センサー３９が閉じている時間を例えばクロックで計数し、一定時間を検知したとき、主制御部２０１は、噴霧制御部１７３を制御して噴霧部３８に一定量の次亜塩素酸水３４を噴霧させることも可能である。さらに、使用者が収納室３１にごみ３３を入れるために蓋２を開けることにより、開閉センサー３９が開を検知したとき、主制御部２０１は、噴霧制御部１７３を制御して噴霧部３８の次亜塩素酸水３４の噴霧を待機するか、あるいは噴霧中の場合は噴霧の停止を行うことができる。
【００４４】
次亜塩素酸水噴霧ユニット２１３に図示しない報知部をさらに接続し、除菌ごみ箱収容室３０に生ごみ除菌容器１０と同様の報知機構をさらに設けることができる。このようにして、ごみ置き場の除菌及び消臭を行うことができる。
【００４５】
また、除菌ごみ箱収容室３０の出入口３６の外側に操作ボタンなどを設けて噴霧制御部１７３を制御し、噴霧部３８を操作することができる。さらに、図３と同様の機構を設けて例えばリモートコントローラなどによる外部信号を受信させて噴霧制御部１７３を制御し、噴霧部３８を遠隔操作することができる。
【００４６】
また、噴霧部３８は天井に固定するか,あるいは可動するように設けることができる。図示するように、例えば噴霧部３８と接続したタンク３７をレール１８１に沿って可動するように設置することができる。これにより、次亜塩素酸水の噴霧をまんべんなく行うことができる。
【００４７】
このような除菌ごみ箱収容室３０は例えばマンション等に設置可能であり、収納室３１内には例えば分別用のごみ箱３３などを置くことができる。
【００４８】
図６は、第４の実施形態にかかる除菌機能付きゴミ収集車を表す概略図を示す。
【００４９】
図示するように、この除菌機能付きゴミ収集車４０は、荷台に設置されたごみ収集庫４１を有し、ごみ収集庫４１の車体の後方側に、ごみ４３を出し入れするためのごみ収集口４６と、ごみ収集口４６に開閉可能に設けられた扉４２とを備えている。
【００５０】
ごみ収集庫４１の天井４５には、ごみ収集庫４１内に次亜塩素酸水４４を噴霧するための噴霧部４８が設けられている。噴霧部４８には、次亜塩素酸水４４の噴霧を制御する噴霧制御部１７４が接続されている。噴霧部４８には所定量の次亜塩素酸水が給水され貯水するタンク４７を接続することができる。噴霧部４８とタンク４７は、第１実施形態に設けられた噴霧部８とタンク７と同様の構成を有することができる。
【００５１】
噴霧制御部１７４と噴霧部４８とタンク４７は、次亜塩素酸水を噴霧するための次亜塩素酸水噴霧ユニット２１４を構成している。また、次亜塩素酸水噴霧ユニット２１４は、除菌機能付きゴミ収集車４０に着脱可能に設けることができる。また、次亜塩素酸水噴霧ユニット２１４のタンク４７に、外部に設けられた貯水部１６４をさらに接続して、除菌機能付きゴミ収集車４０を密閉した状態で貯水部１６４からタンク４７に所定量の次亜塩素酸水を供給することができる。
【００５２】
さらに、タンク４７及び貯水部１６４のうち少なくとも一方に、外部機器と通信可能な図示しない通知部を接続し、貯水部１６４内の次亜塩素酸水の貯水状況を外部機器に通知することができる。
【００５３】
また、天井４５と扉４２に、扉４２の開閉を検知する一対のセンサー４９を設けることができる。一対のセンサー４９と噴霧制御部１７４と噴霧部４８を、図２の開閉センサー９と噴霧制御部１７４と噴霧部８と同様に適用して次亜塩素酸水を自動的に噴霧する機構を設けることができる。
【００５４】
例えば、使用者が扉４２を開け、ごみ収集庫４１にごみ４３を入れて扉４２を閉めることにより、開閉センサー４９が閉じていることを検知する。主制御部２０１は、開閉センサー４９からの検知情報を受けて、噴霧制御部１７４に一定量の次亜塩素酸水４４の噴霧を指示する。噴霧部４８は、噴霧制御部１７４からの指示情報を受けて一定量の次亜塩素酸水４４を噴霧する。また、開閉センサー４９が閉じている時間を例えばクロックで計数し、一定時間を検知したとき、主制御部２０１は、噴霧制御部１７４を制御して噴霧部４８に一定量の次亜塩素酸水４４を噴霧させることも可能である。さらに、使用者がごみ収集庫４にごみ４３を入れるために扉４２を開けることにより、開閉センサー４９が開を検知したとき、主制御部２０１は、噴霧制御部１７４を制御して噴霧部４８の次亜塩素酸水４４の噴霧を待機するか、あるいは噴霧中の場合は噴霧の停止を行うことができる。
【００５５】
次亜塩素酸水噴霧ユニット２１４に図示しない報知部をさらに接続し、ごみ収集庫４１に第１の実施形態の報知機構と同様の報知機構をさらに設けることができる。
【００５６】
また、ごみ収集車４１に操作ボタンなどを設けて噴霧制御部１７４を制御し、噴霧部４８を操作することができる。さらに、図３と同様の機構を設けて例えばリモートコントローラなどによる外部信号を受信させて噴霧制御部１７４を制御し、噴霧部４８を遠隔操作することができる。
【００５７】
また、噴霧部４８は天井４５に固定するか,あるいは可動するように設けることができる。図示するように、例えば噴霧部４８と接続したタンク４７をレール１８２に沿って可動するように設置することができる。これにより、次亜塩素酸水の噴霧をまんべんなく行うことができる。
【００５８】
図７に、第５の実施形態にかかる風呂蓋型除菌装置を表す概略図を示す。
【００５９】
図示するように、風呂蓋型除菌装置５０には、次亜塩素酸水５４を噴霧するための噴霧部５８が設けられている。噴霧部５８には、次亜塩素酸水３４の噴霧を制御する噴霧制御部１９２が接続されている。また、噴霧部５８には所定量の次亜塩素酸水５４が給水され貯水するタンク５７を設けることができる。噴霧部５８とタンク５７は、第１の実施形態に設けられた噴霧部８とタンク７と同様の構成を有することができる。噴霧制御部１９２と噴霧部５８とタンク５７は、次亜塩素酸水を噴霧するための次亜塩素酸水噴霧ユニット２１５を構成している。また、次亜塩素酸水噴霧ユニット２１５は、風呂蓋型除菌装置５０に着脱可能に設けることができる。
【００６０】
さらに、タンク５７に、外部機器と通信可能な図示しない通知部を接続し、タンク５７内の次亜塩素酸水の貯水状況を外部機器に通知することができる。
【００６１】
風呂蓋型除菌装置５０を用いて除菌を行うには、まず、除菌したい物品５３例えばおもちゃ等をバスタブ５１に入れる。次に、バスタブ５１上に風呂蓋型除菌装置５０を載置し、バスタブ５１の開口を覆う。その後、例えば操作ボタン５２を押すことにより噴霧制御部１９２に次亜塩素酸水の噴霧を指示すると、噴霧制御部１９２からの指示情報を受けた噴霧部５８からバスタブ５１内に次亜塩素酸水５４を噴霧して、物品の除菌及び消臭を行うことができる。なお、風呂蓋型除菌装置５０は、除菌したい物品を収容可能な空間があり、風呂蓋型除菌装置５０で覆うことができる容器であれば、バスタブ以外の容器に適用することもできる。
【００６２】
次亜塩素酸水噴霧ユニット２１５に図示しない報知部をさらに接続し、風呂蓋型除菌装置５０に第１の実施形態と同様の報知機構をさらに設けることができる。
【００６３】
また、風呂蓋型除菌装置５０に図３と同様の機構を設けて例えばリモートコントローラなどによる外部信号を受信させて噴霧部５８を遠隔操作することができる。
【００６４】
図８に、第６の実施形態にかかる除菌押入れを表す概略図を示す。
【００６５】
図示するように、除菌押入れ６０は、例えばふとんなどの収納物６３を収納する収納スペース６１と、収納スペース６１の前面に取り付けられた両開きの扉６２−１，６２−２とを備えている。
【００６６】
収納スペース６１の天井６５には、収納スペース６１内に次亜塩素酸水６４を噴霧するための噴霧部６８が設けられている。噴霧部６８には、次亜塩素酸水６４の噴霧を制御する噴霧制御部１７５が接続されている。噴霧部６８には所定量の次亜塩素酸水が給水され貯水するタンク６７を接続することができる。噴霧部６８とタンク６７は、第１の実施形態に設けられた噴霧部８とタンク７と同様の構成を有することができる。
【００６７】
噴霧制御部１７５と噴霧部６８とタンク６７は、次亜塩素酸水を噴霧するための次亜塩素酸水噴霧ユニット２１６を構成している。また、次亜塩素酸水噴霧ユニット２１６は、除菌押入れ６０に着脱可能に設けることができる。また、次亜塩素酸水噴霧ユニット２１６のタンク６７に、外部に設けられた貯水部１６５をさらに接続して、除菌押入れ６０を密閉した状態で貯水部１６５からタンク６７に所定量の次亜塩素酸水を供給することができる。
【００６８】
さらに、タンク６７及び貯水部１６５の少なくとも一方に、外部機器と通信可能な図示しない通知部を接続し、貯水部１６５内の次亜塩素酸水の貯水状況を外部機器に通知することができる。
【００６９】
また、両開きの扉６２−１，６２−２に、扉６２−１，扉６２−２の開閉を検知する一対のセンサー６９を設けることができる。扉６２−１，扉６２−２の開閉を検知する一対のセンサー６９と噴霧制御部１７５と噴霧部６８を、図２の開閉センサー９と噴霧制御部１７１と噴霧部８と同様に適用して次亜塩素酸水を自動的に噴霧する機構を設けることができる。
【００７０】
例えば、使用者が、例えば扉６２−１と扉６２−２を開け、収納スペース６１に収納物６３を収納して扉６２−１と扉６２−２を閉めることにより、開閉センサー６９が閉じていることを検知する。主制御部２０１は、開閉センサー６９からの検知情報を受けて、噴霧制御部１７５に一定量の次亜塩素酸水６４の噴霧を指示する。噴霧部６８は、噴霧制御部１７５からの指示情報を受けて一定量の次亜塩素酸水６４を噴霧する。また、開閉センサー６９が閉じている時間を例えばクロックで計数し、一定時間を検知したとき、主制御部２０１は、噴霧制御部１７５を制御して噴霧部６８に一定量の次亜塩素酸水６４を噴霧させることも可能である。さらに、使用者が扉６２−１と扉６２−２を開けることにより、開閉センサー６９が開を検知したとき、主制御部２０１は、噴霧制御部１７５を制御して噴霧部６８の次亜塩素酸水６４の噴霧を待機するか、あるいは噴霧中の場合は噴霧の停止を行うことができる。このようにして、押入れの除菌及び消臭を行うことができる。
【００７１】
次亜塩素酸水噴霧ユニット２１６に図示しない報知部をさらに接続し、除菌押入れ６０に第１の実施形態の報知機構と同様の報知機構をさらに設けることができる。
【００７２】
また、除菌押入れ６０に操作ボタンなどを設けて噴霧制御部１７５を制御し、噴霧部６８を操作することができる。さらに、図３と同様の機構を設けて例えばリモートコントローラなどによる外部信号を受信させて噴霧制御部１７５を制御し、噴霧部６８を遠隔操作することができる。
【００７３】
図９は、第７の実施形態にかかる除菌ロッカーの構成を表す概略図を示す。
【００７４】
図示するように、除菌ロッカー７０は、収納口７６を有する収納庫７１と、収納口７６に開閉可能に取り付けられた扉７２とを備えている。
【００７５】
収納庫７１の天井７５には、収納庫７１内に次亜塩素酸水７４を噴霧するための噴霧部７８が設けられている。噴霧部７８には、次亜塩素酸水７４の噴霧を制御する噴霧制御部１７６が接続されている。噴霧部７８には所定量の次亜塩素酸水が給水され貯水するタンク７７を接続することができる。噴霧部７８とタンク７７は、第１の実施形態に設けられた噴霧部８とタンク７と同様の構成を有することができる。
【００７６】
噴霧制御部１７６と噴霧部７８とタンク７７は、次亜塩素酸水を噴霧するための次亜塩素酸水噴霧ユニット２１７を構成している。また、次亜塩素酸水噴霧ユニット２１７は、除菌ロッカー７０に着脱可能に設けることができる。また、次亜塩素酸水噴霧ユニット２１７のタンク７７に、外部に設けられた貯水部１６６をさらに接続して、除菌ロッカー７０を密閉した状態で貯水部１６６からタンク７７に所定量の次亜塩素酸水を供給することができる。
【００７７】
さらに、タンク７７及び貯水部１６６の少なくとも一方に、外部機器と通信可能な図示しない通知部を接続し、貯水部１６６内の次亜塩素酸水の貯水状況を外部機器に通知することができる。
【００７８】
また、天井７５と扉７２に、扉７２の開閉を検知する一対のセンサー７９を設けることができる。扉７２の開閉を検知する一対のセンサー７９と噴霧制御部１７６と噴霧部７８を、図２の開閉センサー９と噴霧制御部１７１と噴霧部８と同様に適用して次亜塩素酸水を自動的に噴霧する機構を設けることができる。
【００７９】
例えば、使用者が扉７２を開け、収納庫７１に例えば洋服などの収容物７３を入れたり、収容物７３を取り出したりして扉７２を閉めることにより、開閉センサー７９が閉じていることを検知する。主制御部２０１は、開閉センサー７９からの検知情報を受けて、噴霧制御部１７６に一定量の次亜塩素酸水７４の噴霧を指示する。噴霧部７８は、噴霧制御部１７６からの指示情報を受けて一定量の次亜塩素酸水７４を噴霧する。また、開閉センサー７９が閉じている時間を例えばクロックで計数し、一定時間を検知したとき、主制御部２０１は、噴霧制御部１７６を制御して噴霧部７８に一定量の次亜塩素酸水７４を噴霧させることも可能である。さらに、使用者が扉７２を開けることにより、開閉センサー７９が開を検知したとき、主制御部２０１は、噴霧制御部１７６を制御して噴霧部７８の次亜塩素酸水７４の噴霧を待機するか、あるいは噴霧中の場合は噴霧の停止を行うことができる。このようにして、ロッカーの除菌及び消臭を行うことができる。
【００８０】
次亜塩素酸水噴霧ユニット２１７に図示しない報知部をさらに接続し、除菌ロッカー７０に第１の実施形態の報知機構と同様の報知機構をさらに設けることができる。
【００８１】
また、除菌ロッカー７０に操作ボタンなどを設けて噴霧制御部１７６を制御し、噴霧部７８を操作することができる。さらに、図３と同様の機構を設けて例えばリモートコントローラなどによる外部信号を受信させて噴霧制御部１７６を制御し、噴霧部７８を遠隔操作することができる。
【００８２】
また、噴霧部７８は天井７５に固定するか,あるいは可動するように設けることができる。図示するように、例えば噴霧部７８と接続したタンク７７をレール１８３に沿って可動するように設置することができる。これにより、次亜塩素酸水の噴霧をまんべんなく行うことができる。
【００８３】
このような除菌ロッカー７０の構成は、靴を収納する除菌下駄箱などに応用することができる。
【００８４】
図１０に、第８の実施形態にかかる手の除菌装置の構成を表す概略図を示す。
【００８５】
図示するように、手の除菌装置８０は、挿入口８６を有する本体８１と、本体８１の第１の側面８５−１に設けられた次亜塩素酸水８４を噴霧するための噴霧部８８とを備えている。噴霧部８８には、次亜塩素酸水８４の噴霧を制御する噴霧制御部１９３が接続されている。噴霧部８８には所定量の次亜塩素酸水が給水され貯水するタンク８７が設けられている。噴霧部８８とタンク８７は、第１の実施形態に設けられた噴霧部８とタンク７と同様の構成を有することができる。噴霧制御部１９３と噴霧部８８とタンク８７は、次亜塩素酸水を噴霧するための次亜塩素酸水噴霧ユニット２１８を構成している。また、次亜塩素酸水噴霧ユニット２１８は、手の除菌装置８０に着脱可能に設けることができる。
【００８６】
さらに、タンク８７に、外部機器と通信可能な図示しない通知部を接続し、タンク８７内の次亜塩素酸水の貯水状況を外部機器に通知することができる。
【００８７】
また、挿入口８６よりすぐ下の辺りの第１の側面８５−１と第２の側面８５−２に、手が挿入されたことを検知する一対のセンサー８９を設けることができる。一対のセンサー８９と噴霧制御部１９３と噴霧部８８を、図２の開閉センサー９と噴霧制御部１９３と噴霧部８と同様に適用して次亜塩素酸水を自動的に噴霧する機構を設けることができる。
【００８８】
例えば、使用者が挿入口８６より手を挿入することにより、センサー８９が手があることを検知したとき、主制御部２０１は、センサー８９からの検知情報を受けて、噴霧制御部１９３に一定量の次亜塩素酸水８４の噴霧を指示する。噴霧部８８は、噴霧制御部１９３からの指示情報を受けて一定量の次亜塩素酸水８４を噴霧する。その後、使用者が挿入口８６より手を引き抜くことにより、センサー８９が手がないことを検知したとき、主制御部２０１は、噴霧制御部１９３を制御して噴霧部８８の次亜塩素酸水８４の噴霧の停止を行うことができる。
【００８９】
また、センサー８９が手があることを検知している時間を例えばクロックで計数し、一定時間を検知したとき、主制御部２０１は、噴霧制御部１９３を制御して噴霧部８８の次亜塩素酸水８４の噴霧の待機または停止を行うことができる。
【００９０】
さらに、本体８１に図示しない乾燥機構をさらに設けることができる。
【００９１】
乾燥機構は、図示しない送風部と乾燥制御部とを有することができる。
例えば使用者が洗浄後のぬれた手を挿入口８６に挿入したとき、まず、送風部から送風を行なって手を乾燥し乾燥が完了した後、または送風開始後所定時間経過後に、続いて、噴霧部８８から一定量の次亜塩素酸水８４を噴霧して除菌を行うことができる。
【００９２】
さらにまた、本体８１に図示しない洗浄機構をさらに設けることができる。例えば使用者が手を挿入口８６に挿入したとき、まず、洗浄機構から洗浄剤を含む水を手に吹き付けて洗浄を行い、次に、洗浄機構から水を手に吹き付けてすすぎを行い、続いて乾燥機構から送風を行なって手を乾燥し、その後、噴霧部８８から一定量の次亜塩素酸水８４を噴霧して除菌を行うことができる。
【００９３】
このように十分に乾燥してから次亜塩素酸水を噴霧すると、次亜塩素酸水が皮膚に直接接触しやすくなるため、より効果的に除菌を行うことができる。
【００９４】
図１１に、第９の実施形態にかかる足の除菌装置の構成を表す概略図を示す。
【００９５】
図示するように、足の除菌装置９０は、挿入口９６を有する本体９１と、本体９１の第１の側面９５に設けられた次亜塩素酸水９４を噴霧するための噴霧部９８とを備えている。噴霧部９８には、次亜塩素酸水９４の噴霧を制御する噴霧制御部１９４が接続されている。噴霧部９８には所定量の次亜塩素酸水が給水され貯水するタンク９７が設けられている。噴霧部９８とタンク９７は、第１の実施形態に設けられた噴霧部８とタンク７と同様の構成を有することができる。噴霧制御部１９４と噴霧部８８とタンク８７は、次亜塩素酸水を噴霧するための次亜塩素酸水噴霧ユニット２１９を構成している。また、次亜塩素酸水噴霧ユニット２１９は、足の除菌装置９０に着脱可能に設けることができる。
【００９６】
さらに、タンク９７に、外部機器と通信可能な図示しない通知部を接続し、タンク９７内の次亜塩素酸水の貯水状況を外部機器に通知することができる。
【００９７】
また、挿入口９６よりすぐ下の辺りの第１の側面９５−１と第２の側面９５−２に、足が挿入されたことを検知する一対のセンサー９９を設けることができる。一対のセンサー９９と噴霧制御部１９４と噴霧部９８を、図２の開閉センサー９と噴霧制御部１９４と噴霧部８と同様に適用して次亜塩素酸水を自動的に噴霧する機構を設けることができる。
【００９８】
例えば、使用者が挿入口９６より足を挿入することにより、センサー９９が足があることを検知したとき、主制御部２０１は、センサー９９からの検知情報を受けて、噴霧制御部１９４は噴霧部９８に一定量の次亜塩素酸水９４を噴霧させる。その後、使用者が挿入口９６より足を引き抜くことにより、センサー９９が足がないことを検知したとき、主制御部２０１は、噴霧制御部１９４を制御して噴霧部９８の次亜塩素酸水９４の噴霧の停止を行うことができる。
【００９９】
また、センサー９９が足があることを検知している時間を例えばクロックで計数し、一定時間を検知したとき、主制御部２０１は、噴霧制御部１９４を制御して噴霧部９８の次亜塩素酸水９４の噴霧の待機または停止を行うことができる。このようにして、足の除菌及び消臭を行うことができる。
【０１００】
また、足の除菌装置９０には、手の除菌装置８０と同様に、乾燥機構及び洗浄機構を設けることができる。
【０１０１】
図１２に、第１０の実施形態にかかる除菌トイレ装置の構成を表す概略図を示す。
【０１０２】
図示するように、除菌トイレ１００は、便器１０１と、便器１０１上に設けられた便座１０２と、便座１０２上に設けられた蓋１０３と、便器１０１と図示しない配管で接続され、便器１０１を洗浄する洗浄水を貯留するためのタンク１０５とを備えている。タンク１０５にはレバー１０６が設けられ、このレバー１０６を操作することにより洗浄水が便器に送られて洗浄を行う機構となっている。
【０１０３】
また、便座１０２には、便器１０１に次亜塩素酸水１０４を噴霧するための噴霧部１０８が設けられている。噴霧部１０８には、次亜塩素酸水１０４の噴霧を制御する噴霧制御部１７７が接続されている。噴霧部１０８には所定量の次亜塩素酸水が給水され貯水するタンク１０７を設けることができる。噴霧部１０８とタンク１０７は、第１の実施形態に設けられた噴霧部８とタンク７と同様の構成を有することができる。
【０１０４】
噴霧制御部１７７と噴霧部１０８とタンク１０７は、次亜塩素酸水を噴霧するための次亜塩素酸水噴霧ユニット２２０を構成している。また、次亜塩素酸水噴霧ユニット２２０は、除菌トイレ１００に着脱可能に設けることができる。また、次亜塩素酸水噴霧ユニット２２０のタンク１０７に、外部に設けられた貯水部１６７をさらに接続して、除菌トイレ１００を密閉した状態で貯水部１６７からタンク１０７に所定量の次亜塩素酸水を供給することができる。
【０１０５】
さらに、タンク１０７及び貯水部１６７の少なくとも一方に、外部機器と通信可能な図示しない通知部を接続し、貯水部１６７内の次亜塩素酸水の貯水状況を外部機器に通知することができる。
【０１０６】
また、タンク１０５に洗浄水貯留槽と次亜塩素酸水貯留槽とを設け、水貯留槽を便器１０１に接続し、次亜塩素酸水貯留槽をタンク１０７に接続することが可能である。
【０１０７】
また、便座１０２には、蓋の開閉を検知する開閉センサー１０９を設けることができる。蓋の開閉を検知する開閉センサー１０９と噴霧制御部１７７と噴霧部１０８を、図２の開閉センサー９と噴霧制御部１７１と噴霧部８と同様に適用して次亜塩素酸水を自動的に噴霧する機構を設けることができる。
【０１０８】
例えば、使用者が使用後に除菌トイレ１００の蓋１０３を閉めることにより、開閉センサー１０９が閉じていることを検知する。主制御部２０１は、開閉センサー１０９からの検知情報を受けて、噴霧制御部１７７に一定量の次亜塩素酸水１０４の噴霧を指示する。噴霧部１０８は、噴霧制御部１７７からの指示情報を受けて一定量の次亜塩素酸水１０４を噴霧する。開閉センサー１０９が閉じている時間を例えばクロックで計数し、一定時間を検知したとき、主制御部２０１は、噴霧制御部１７７を制御して噴霧部１０８に一定量の次亜塩素酸水１０４を噴霧させることも可能である。また、開閉センサー１０９が閉じていることを検知した後、便器の洗浄が終了したタイミングで一定量の次亜塩素酸水１０４を噴霧させることもできる。さらに、使用者が蓋１０３を開けることにより、開閉センサー１０９が開を検知したとき、主制御部２０１は、噴霧制御部１７７を制御して噴霧部噴霧部１０８の次亜塩素酸水１０４の噴霧を待機するか、あるいは噴霧中の場合は噴霧の停止を行うことができる。
【０１０９】
また、除菌トイレ１００に操作ボタンなどを設けて噴霧制御部１７７を制御し、噴霧部噴霧部１０８を操作することができる。さらに、図３と同様の機構を設けて例えばリモートコントローラなどによる外部信号を受信させて噴霧制御部１７７を制御し、噴霧部１０８を遠隔操作することができる。
【０１１０】
これにより、トイレの除菌、及び消臭を行うことができる。また、次亜塩素酸水を噴霧することにより、便器の黄ばみを防止することができる。
【０１１１】
図１３は、第１１の実施形態にかかる除菌ほりごたつの構成を表す概略図を示す。
【０１１２】
図示するように、除菌ほりこたつ１１０は、床を切り下げて設けられた炉１１６の上に載置されたやぐら１１１と、やぐら１１１を覆うこたつ布団１１３と、やぐら１１１の天井部分にこたつ布団１１３を介して載せられた天板１１２とを備えている。
【０１１３】
やぐら１１１の天井部分には、ほりこたつ１１０内に次亜塩素酸水１１４を噴霧するための噴霧部１１８が設けられている。噴霧部１１８には、次亜塩素酸水１１４の噴霧を制御する噴霧制御部１９５が接続されている。噴霧部１１８には所定量の次亜塩素酸水が給水され貯水するタンク１１７を設けることができる。また、図示しないこたつの熱源をやぐら１１１の天井部分に取り付けることができる。噴霧部１１８とタンク１１７は、第１の実施形態に設けられた噴霧部８とタンク７と同様の構成を有することができる。噴霧制御部１９５と噴霧部１１８とタンク１１７は、次亜塩素酸水を噴霧するための次亜塩素酸水噴霧ユニット２２１を構成している。また、次亜塩素酸水噴霧ユニット２２１は、除菌ほりこたつ１１０に着脱可能に設けることができる。
【０１１４】
さらに、タンク１１７に、外部機器と通信可能な図示しない通知部を接続し、タンク１１７内の次亜塩素酸水の貯水状況を外部機器に通知することができる。
【０１１５】
また、やぐら１１１の天井部分には、こたつ使用中を検知するセンサー１１９を設けることができる。センサー１１９と噴霧制御部１９５と噴霧部１１８を、図２の開閉センサー９と噴霧制御部１７１と噴霧部８と同様に適用して次亜塩素酸水を自動的に噴霧する機構を設けることができる。
【０１１６】
例えば、使用者が除菌ほりこたつ１１０に足を入れることにより、センサー１１９がこたつ使用中を検知する。主制御部２０１は、センサー１１９からの検知情報を受けて、噴霧制御部１９５に一定量の次亜塩素酸水１１４の噴霧を指示する。噴霧部１１８は、噴霧制御部１９５からの指示情報を受けて一定量の次亜塩素酸水１１４を噴霧する。また、センサー１１９がこたつ使用中を検知している時間を例えばクロックで計数し、一定時間を検知したとき、主制御部２０１は、噴霧制御部１９５を制御して噴霧部１１８に一定量の次亜塩素酸水１１４を噴霧させることも可能である。さらに、使用者が除菌ほりこたつ１１０から出て、センサー１１９がこたつ空きを検知したとき、主制御部２０１は、センサー１１９からの検知情報を受けて、噴霧制御部１９５を制御して噴霧部１１８に一定量の次亜塩素酸１１４を噴霧させることができる。また、センサー１１９がこたつ空きを検知している時間を例えばクロックで計数し、一定時間を検知したとき、主制御部２０１は、噴霧制御部１９５を制御して噴霧部１１８に一定量の次亜塩素酸水１１４を噴霧させることも可能である。
【０１１７】
また、除菌ほりこたつ１１０に操作ボタンなどを設けて噴霧制御部１９５を制御し、噴霧部１１８を操作することができる。さらに、図３と同様の機構を設けて例えばリモートコントローラなどによる外部信号を受信させて噴霧制御部１９５を制御し、噴霧部１１８を遠隔操作することができる。
【０１１８】
実施形態によれば、このようにしてほりこたつの除菌、及び消臭を行うことができる。
【０１１９】
図１４は、第１２の実施形態にかかる室内除菌装置の構成を表す概略図を示す。
【０１２０】
図示するように、この室内除菌装置１２０は、例えばごみ１２３を収容するごみ置き場１２５が設けられた室内に設置することができる。この室内除菌装置３０は、装置の下方に設けられ、室内の空気を取り入れて、除湿あるいは室外に排気する排気口１２２と、装置の上方に設けられ、除湿された空気あるいは室外から取り入れた空気を室内へ供給する給気口１２１とを備えている。また、室内除菌装置１２０の内部には、次亜塩素酸水を噴霧するための図示しない噴霧部、噴霧制御部、及び所定量の次亜塩素酸水が給水され貯水するタンクを含む次亜塩素酸水噴霧ユニットが設けられ、噴霧部は給気口１２１と接続している。。噴霧部とタンクは、第１の実施形態に設けられた噴霧部８とタンク７と同様の構成を有することができる。
【０１２１】
噴霧部は例えば一定時間ごとに噴霧を行い、給気口１２１から給気を行うともに噴霧された次亜塩素酸水を室内へ供給することができる。
【０１２２】
また、室内にさらに人感センサー等を設けることが可能である。人感センサーと噴霧制御部と噴霧部を、図２の開閉センサー９と噴霧制御部１７１と噴霧部８と同様に適用して次亜塩素酸水を自動的に噴霧する機構を設けることができる。
【０１２３】
例えば、使用者がごみ置き場に入って、人感センサーが人がいることを検知したとき、噴霧部の次亜塩素酸水の噴霧を待機するか、あるいは噴霧中の場合は噴霧の停止を行うことができる。また、使用者がごみ置き場から出て、人感センサーが人がいないことを検知したとき、主制御部２０１は、噴霧制御部に一定量の次亜塩素酸水の噴霧を指示する。噴霧部は、噴霧制御部からの指示情報を受けて一定量の次亜塩素酸水を噴霧する。これにより、ごみ置き場が設けられた室内の除菌、及び消臭を行うことができる。また、人感センサーが人がいないことを検知している時間を例えばクロックで計数し、一定時間を検知したとき、主制御部２０１は、噴霧部に一定量の次亜塩素酸水を噴霧させることも可能である。
【０１２４】
次亜塩素酸水噴霧ユニットに次亜塩素酸水噴霧ユニット２１１の報知機構と同様の報知機構をさらに設けることができる。
【０１２５】
また、室内除菌装置１２０が設けられた部屋の外に操作ボタンなどを設けて噴霧部を操作することができる。さらに、図３と同様の機構を設けて例えばリモートコントローラなどによる外部信号を受信させて噴霧制御部及び噴霧部を遠隔操作することができる。
【０１２６】
図１５は、第１３の実施形態にかかる除菌容器の構成を表す概略図を示す。
【０１２７】
図示するように、除菌容器１３０は、上部に開口を有する容器１３１と、容器１３１の底部に設置され、４隅に設けられた給気口１３５から容器１３１内に次亜塩素酸水１３４を噴霧する底板状の噴霧部１３８とを備えている。噴霧部１３８には、次亜塩素酸水１３４の噴霧を制御する図示しない噴霧制御部が接続されている。
【０１２８】
噴霧部１３８には所定量の次亜塩素酸水が給水され貯水する図示しないタンクを設けることができる。噴霧部１３８とタンクは、第１の実施形態に設けられた噴霧部８とタンク７と同様の構成を有することができる。噴霧制御部と噴霧部１３８とタンクは、次亜塩素酸水を噴霧するための次亜塩素酸水噴霧ユニットを構成している。また、次亜塩素酸水噴霧ユニットは、除菌容器１３０に着脱可能に設けることができる。
【０１２９】
さらに、タンクに、外部機器と通信可能な図示しない通知部を接続し、タンク内の次亜塩素酸水の貯水状況を外部機器に通知することができる。
【０１３０】
また、噴霧部１３８には、容器１３１内の湿度を調節するため排気を行う調湿口１３６が設けられ、及び調湿口１３６からの図示しない排気ラインが除菌容器１３０の排気口１３７に接続され、容器内の空気を排気するようになっている。
【０１３１】
除菌容器１３０には、例えばおもちゃなどの収容物１３３を収容することができる。使用者は収容物を中に入れ、蓋を閉めて、図示しない操作ボタンを押すことにより、噴霧制御部に次亜塩素酸水の噴霧を指示すると、噴霧制御部からの指示情報を受けた噴霧部１３８は、定量の次亜塩素酸水１３４を噴霧させ、収容物の除菌、及び消臭を行うことができる。あるいは、一定時間ごとに一定量の次亜塩素酸水１３４を噴霧させることもできる。
【０１３２】
次亜塩素酸水噴霧ユニットに図示しない報知部をさらに設け、除菌容器１３０に、第１の実施形態の報知機構の報知機構と同様の報知機構をさらに設けることができる。
【０１３３】
また、図３と同様の機構を設けて例えばリモートコントローラなどによる外部信号を受信させて噴霧部１３８を遠隔操作することができる。
【０１３４】
図１６は、第１４の実施形態にかかる除菌ブラシの構成を説明するための概略図を示す。
【０１３５】
図示するように、除菌ブラシ１４０は、土台１４３と持ち手１４５とを有する本体１４１と、土台１４３の周囲に植え込まれた毛材１４２を備えている。
【０１３６】
土台１４３の中央部には、次亜塩素酸水１４４を噴霧するための噴霧部１４８が設けられている。噴霧部１４８には、次亜塩素酸水１４４の噴霧を制御する噴霧制御部１９６が接続されている。噴霧部１４８には所定量の次亜塩素酸水が給水され貯水するタンク１４７を設けることができる。噴霧部１４８とタンク１４７は、第１の実施形態に設けられた噴霧部８とタンク７と同様の構成を有することができる。噴霧制御部１９６と噴霧部１４８とタンク１４７は、次亜塩素酸水を噴霧するための次亜塩素酸水噴霧ユニット２２２を構成している。また、次亜塩素酸水噴霧ユニット２２２は、除菌ブラシ１４０に着脱可能に設けることができる。
【０１３７】
なお、図では、説明のため、土台１４３の右端と左端の毛材１４２のみを表示しているが、毛材１４２は、土台１４３の中央部を取り囲むように植えられている。
【０１３８】
さらに、タンク１４７に、外部機器と通信可能な図示しない通知部を接続し、タンク１４７内の次亜塩素酸水の貯水状況を外部機器に通知することができる。
【０１３９】
例えば、使用者が除菌ブラシ１４０を洋服などの上に当てて、図示しない操作ボタンを押すことにより、噴霧制御部１９６に次亜塩素酸水の噴霧を指示すると、噴霧制御部１９２からの指示情報を受けた噴霧部１４８から一定量の次亜塩素酸水１４４を噴霧させることができる。これにより、毛材１４２で囲まれた領域内の洋服の除菌、防臭を行うことができる。
【０１４０】
図１７は、第１５の実施形態にかかる除菌掃除機の構成を表す概略図を示す。
【０１４１】
除菌掃除機１５０は、給気口１５７、図示しない吸引機構、及び排気口１５５を備えた掃除機本体１５１と、ごみを回収するために掃除機本体１５１内に取り付けられたダストボックス１５２と、掃除機本体１５１の給気側に差し込まれたホース１５３と、ホースの先端に取り付けられた操作部つきのハンドル部１６１と、ハンドル部１９１を介してホース１５３に接続されたパイプ１５６と、パイプ１５６に接続された吸引ヘッド１５９とを備えている。
【０１４２】
また、掃除機本体１５１内のダストボックスが取り付けられる領域の上方には、次亜塩素酸水１５５を噴霧するための噴霧部１５８が設けられている。噴霧部１５８には、次亜塩素酸水１５４の噴霧を制御する噴霧制御部１９７が接続されている。また、噴霧部１５８には所定量の次亜塩素酸水が給水され貯水する図示しないタンクを設けることができる。噴霧部１５８とタンクは、第１の実施形態に設けられた噴霧部８とタンク７と同様の構成を有することができる。噴霧制御部１９７と噴霧部１５８とタンク１５７は、次亜塩素酸水を噴霧するための次亜塩素酸水噴霧ユニット２２３を構成している。また、次亜塩素酸水噴霧ユニット２２３は、除菌掃除機１５０に着脱可能に設けることができる。
【０１４３】
さらに、タンクに、外部機器と通信可能な図示しない通知部を接続し、タンク内の次亜塩素酸水の貯水状況を外部機器に通知することができる。
【０１４４】
除菌掃除機１５０では、吸引ヘッド１５９から取り込まれた空気は、矢印の方向に移動して、パイプ１５６、ダストボックス１５２を経て、排気口１５５から排気される。例えば、使用者が掃除機を運転してごみを吸引しているとき、例えば操作部の図示しない操作ボタンを押すことにより噴霧制御部１９７に次亜塩素酸水の噴霧を指示すると、ダストボックス内のごみに噴霧制御部１９７からの指示情報を受けた噴霧部１５８から一定量の次亜塩素酸水１５４を噴霧させる。これにより、ダストボックス１５２内のごみ、ダストボックス１５２から排気口１５５に至る経路、及び排気の除菌及び消臭を行うことが可能となる。また、掃除機を運転している時間を例えばクロックで計数し、一定時間を経過したとき、噴霧部１５８に一定量の次亜塩素酸水１５４を噴霧させることも可能である。
【０１４５】
その他の実施形態として、例えばロッカー室などの空間に、次亜塩素酸水を噴霧する噴霧部と噴霧部に次亜塩素酸水を供給するタンクとを備えた次亜塩素酸水噴霧器を設置して、空間の除菌及び消臭を行うことができる。
【０１４６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４７】
１…容器、２…蓋、３…ごみ、４…次亜塩素酸水、５…開口、６…蝶番、７…タンク、８…噴霧部、９…開閉センサー、１０…除菌容器、１１…プラグ、１２…ソーラーパネル、２００…次亜塩素酸水を自動的に噴霧する機構、２０１，２０２…主制御部、２０３…受信部、２０４…外部機器、２１０…噴霧部を外部から操作する機構、８０…除菌装置
【図１】
2019107289.tif 000003
【図２】
2019107289.tif 000004
【図３】
2019107289.tif 000005
【図４】
2019107289.tif 000006
【図５】
2019107289.tif 000007
【図６】
2019107289.tif 000008
【図７】
2019107289.tif 000009
【図８】
2019107289.tif 000010
【図９】
2019107289.tif 000011
【図１０】
2019107289.tif 000012
【図１１】
2019107289.tif 000013
【図１２】
2019107289.tif 000014
【図１３】
2019107289.tif 000015
【図１４】
2019107289.tif 000016
【図１５】
2019107289.tif 000017
【図１６】
2019107289.tif 000018
【図１７】
2019107289.tif 000019